(57)【要約】【課題】  リフレッシュ効果を得るため室内の酸素濃度を高めた空気を呼吸することで細胞が活性化されるが、濃度の高い酸素を吸うと体内で活性酸素の発生量も増加する。また、室外に室内空気を排気することでせっかく空気質を改善した空気をも排出してしまう。【解決手段】  空気調和された空気を室内に吹出す空気調和機本体の吹出し口近傍に設けられた開口部より抗酸化物質を空気中に徐放するとともに、室外空気中の酸素と窒素等を分離して高濃度酸素を得る機能膜を透過させ酸素富化した空気を空気調和機本体内に設けた酸素吹出し口から供給して、酸素濃度の高い空気と抗酸化物質を一緒に呼吸させる如く良好な空気質を得るとともに、この開口部、酸素吹出し口、更には換気装置の給排気口の配置により効率の良い空気調和機が得られる。【選択図】  図９
2005140457.tif 000002
【特許請求の範囲】
【請求項１】
室内から空気を吸い込み熱交換器と送風機を有し空気調和された空気を室内に吹出す空気調和機本体と、前記空気調和機本体の吹出し口近傍に設けられ抗酸化物質を含む抗酸化物質徐放剤を貯蔵するとともに空気中に徐放する透過膜を有する保有体と、前記保有体を加熱したり送風などを行い前記抗酸化物質徐放剤の徐放量を変化させて前記抗酸化物質の放出量を調整する放出量調整手段と、を備え、前記室内に吹出す空気の上方側に徐放された前記抗酸化物質を混合させることを特徴とする空気調和機。
【請求項２】
熱交換器と送風機を有し空気調和された空気を吹出し口から室内に吹出す空気調和機本体と、前記吹出し口近傍に設けられ抗酸化物質を含む抗酸化物質徐放剤を貯蔵するとともに空気中に前記抗酸化物質徐放剤を徐放する透過膜を有する保有体と、前記保有体に加熱、送風等作用するように設けられ徐放される前記抗酸化物質の放出量を調整する放出量調整手段と、を備え、前記吹出し口から吹き出される空気に徐放された前記抗酸化物質を誘引させて混合することを特徴とする空気調和機。
【請求項３】
前記保有体から放出される抗酸化物質は前記空気調和機本体に設けられた開口部から徐放され、前記吹出し口の上方から室内に吹き出す空気に混合されることを特徴とする請求項１又は２記載の空気調和機。
【請求項４】
熱交換器と送風機を有し空気調和された空気を吹出し口から室内に吹出す空気調和機本体と、前記空気調和機本体に設けられ抗酸化物質を含む抗酸化物質徐放剤を貯蔵するとともに空気中に前記抗酸化物質を徐放する透過膜を有する保有体と、前記保有体に加熱、送風等作用するように設けられ徐放される前記抗酸化物質の放出量を調整する放出量調整手段と、を備え、前記保有体は抗酸化作用を持つ１、８−シネオールを含む貯蔵された前記抗酸化物質徐放剤を貯蔵するものであることを特徴とする空気調和機。
【請求項５】
前記保有体の透過膜は貯蔵された前記抗酸化物質徐放剤の残留量が目視可能なように透明部分もしくは半透明部分を有することを特徴とする請求項１又は２又は３又は４記載の空気調和機。
【請求項６】
前記保有体は取替え可能な構造とし、前記保有体の透過膜は抗酸化作用を持つ貯蔵された前記抗酸化物質徐放剤の内１、８−シネオールが前記取替えに必要な期間以上徐放可能な数十ミクロン程度の厚みを有する膜であることを特徴とする請求項１又は２又は３又は４又は５記載の空気調和機。
【請求項７】
前記保有体は前記空気調和機本体の内側に設けられ、前記室内の空気を吸い込む吸い込み口に設けられて集塵する集塵フィルターと前記保有体はそれぞれ個別に着脱可能であることを特徴とする請求項１乃至６のいずれかに記載の空気調和機。
【請求項８】
室外空気中の酸素と窒素等を分離して酸素を透過する酸素富化膜の酸素を透過する側に設けられ圧力差を発生させるポンプ及び前記酸素富化膜を透過して酸素富化した空気を供給する酸素吹出し口を有し、前記酸素吹出し口を前記空気調和機本体内に設け室内に酸素富化した空気を供給する酸素富化装置と、を備えたことを特徴とする請求項１乃至７のいずれかに記載の空気調和機。
【請求項９】
前記空気調和機本体内部の空気と屋外の大気との間で吸気排気可能な吸気排気ダクトに接続され前記空気調和機本体内部に設けられた換気吸排気口と、前記吸気排気ダクトに接続され室内空気の換気又は排気を行う換気排気ファンと、を備えたことを特徴とする請求項１乃至８のいずれかに記載の空気調和機。
【請求項１０】
前記保有体の開口部及び前記酸素富化装置の前記酸素吹出し口及び前記換気給排気口の少なくとも二つの給気もしくは排気を行う出入り口は、室内から吸込み再び室内へ吹出す気流の流れに対し異なる位置に配置されることを特徴とする請求項８又は９記載の空気調和機。
【請求項１１】
室内から空気を吸い込み熱交換器と送風機を有し空気調和された空気を室内に吹出す空気調和機本体と、前記空気調和機本体の吹出し口近傍に設けられた開口部より抗酸化物質を空気中に徐放する透過膜を有する保有体と、室外空気中の酸素と窒素等を分離して酸素を透過する酸素富化膜の酸素を透過する側に設けられ圧力差を発生させるポンプ及び前記酸素富化膜を透過して酸素富化した空気を供給する前記空気調和機本体内に設けた酸素吹出し口とで形成される酸素富化装置と、前記空気調和機本体内部の空気と室外の大気との間で吸気排気可能な吸気排気ダクトに接続され前記空気調和機本体内部に設けられた換気吸排気口及び前記吸気排気ダクトに接続され室内空気の換気又は排気を行う換気排気ファンとで形成される換気排気装置と、を構成可能な空気調和機であって、前記保有体、前記酸素富化装置及び前記換気排気装置の内、少なくとも二つを備え、前記開口部、前記酸素吹出し口及び前記換気給排気口の少なくとも二つは前記熱交換器に対しそれぞれ異なる方向を向いて配置されることを特徴とする空気調和機。
【請求項１２】
前記保有体から徐放される前記抗酸化物質の放出量を調整する前記放出量調整手段のオンオフ、前記酸素富化装置の前記ポンプのオンオフ、及び前記換気排気ファンのオンオフの少なくとも二つは、前記空気調和機本体を操作する操作手段にて操作可能なことを特徴とする請求項８又は又は９又は１０又は１１記載の空気調和機。
【請求項１３】
前記保有体から徐放される前記抗酸化物質の放出量を調整する放出量調整手段の運転と前記酸素富化装置の前記ポンプの運転は、同時に運転させることと異なる時間帯で運転することが切り替え可能であることを特徴とする請求項８乃至１２のいずれかに記載の空気調和機。
【請求項１４】
室内から空気を吸い込み熱交換器と送風機を有し空気調和された空気を室内に吹出す空気調和機本体と、前記空気調和機本体の吹出し口近傍に設けられた開口部より抗酸化物質を空気中に徐放する透過膜を有する保有体と、室外空気中の酸素と窒素等を分離して酸素を透過する酸素富化膜の酸素を透過する側に設けられ圧力差を発生させるポンプを有する酸素富化装置と、にて構成される空気調和機において、前記保有体から徐放される前記抗酸化物質の放出量を調整する放出量調整手段をオンオフし抗酸化物質を室内に放出するステップと、前記酸素富化装置の前記ポンプをオンオフし酸素富化した空気を室内に吹出すステップと、を備え、前記放出量調整手段及び前記ポンブの運転を切り替えて、同時に運転したり、別々に運転させることを特徴とする空気調和機の運転方法。
【請求項１５】
前記空気調和機本体内部の空気と屋外の大気との間で排気可能な排気ダクトに接続され前記空気調和機本体内部に設けられた排気口及び前記排気ダクトに接続され室内空気の排気を行う排気ファンとで形成される排気装置を設け、前記排気ファンの運転は、保有体から徐放される前記抗酸化物質の放出量を調整する放出量調整手段の運転及び前記酸素富化装置のポンプの運転と、異なる時間帯で行うことを特徴とする請求項１４記載の空気調和機の運転方法。
【請求項１６】
前記空気調和機本体内に吸い込んだ室内空気を電極に電圧を加えて清浄化する空気清浄装置を設け、前記空気清浄装置の電圧印加は、保有体から徐放される前記抗酸化物質の放出量を調整する放出量調整手段の運転と前記酸素富化装置の前記ポンプの運転と、異なる時間帯で行うことを特徴とする請求項１４記載の空気調和機の運転方法。
【発明の詳細な説明】
【技術分野】
【０００１】
この発明は、抗酸化作用を有する物質を放出したり、酸素濃度の高い空気を屋外から室内に供給する等のように空気の質を改善する機能を持つたり、室内の汚れた空気を屋外に排出すること等により、室内の空質環境を整える機能を持つ空気調和機に関するものである。
【背景技術】
【０００２】
日本人の死因のトップを占める三大生活習慣病であるがん、心臓病、脳卒中をはじめ糖尿病、白内障、老人性痴呆症、肝炎、腎炎、痛風、肺気腫など、病原菌による感染症を除いた、あらゆる病気のほぼ９割に活性酸素がなんらかの形で悪影響を与えているといわれている。活性酸素はからだの各組織に酸化ストレスを浴びせながら機能を低下させていき、これが老化現象の要因ともいわれている。活性酸素に関して解説されている著作物は多々ある（たとえば、非特許文献１参照）。活性酸素は、人間をも含めた動植物の体内にあって、細菌・かび・ウィルス・異物などが体内に侵入してくると、血液中に存在する食細胞がその異物を食べて身体を障害から守っている。食細胞の中では活性酸素がつくられ、取り込んだ異物を溶かして処理し、身体の防衛上には必要かつ重要な役割を担っている。しかし、適量に体内で産生された活性酸素は、自己防衛上、身体にとって必要かつ有益なものであるが、過剰に生成されると、逆に自分の正常な組織を細菌や異物のように攻撃し、多くの障害を身体にもたらし、様々な疾患を捲き起こす。動植物は活性酸素が増加しすぎて、自分の身体の細胞や臓器を攻撃しようとした場合、動植物の体内にあるＳＯＤ（Ｓｕｐｅｒ  Ｏｘｉｄｅ  Ｄｉｓｍｕｔａｓｅ）という酵素が、過剰に増加した活性酸素を除去させる働きをする。このＳＯＤ酵素と活性酸素のバランスが保たれている状態が健康な状態とされている。
【０００３】
しかし、このＳＯＤ酵素は年齢とともに活動力が低下し、とりわけ４０歳過ぎに急激に低下すると言われており、これを補うために医薬品、食品、化粧品などの分野で抗酸化物質が開発され活用されている。抗酸化物質とは、分子量の大きい高分子抗酸化剤では、たとえば、ＳＯＤ、カタラーゼ、グルタチオン、リン酸グルコース、パーオキスターゼ、脱水素酵素などの酵素類、分子量の小さい低分子抗酸化剤では、たとえば、ビタミンＥ、Ｃ、Ｂ２、カテキンなどに代表されるポリフェノール類、フラボノイド、タンニン、カロチンなどがあげられる。これらの抗酸化物質は、薬品、食品、化粧品などの形態で供給され、人体に直接服用されるか皮膚表面に塗るなどの形で利用されていた。これらの技術は特許文献１、特許文献２などにて知られている。
【０００４】
これに対して、空気中に抗酸化物質を放出する手段として、特許文献３のようなものがある。このように、空気中に抗酸化物質を放出することで、経口摂取しなくても皮膚または肺から抗酸化物質を吸収することができる室内の空質環境を作り出している。また、同様に体に良い物質を室内の空気から摂取する手段として、特許文献４のようなものがある。これは、窒素と比べて酸素を透過しやすい機能膜を使用することで酸素濃度を高めた屋外の空気を、室内に送ることで室内の酸素濃度を高める手段に関するものである。このように、室内の酸素濃度を高めた空気を呼吸することで、細胞が活性化される。また、室内の空質環境を向上するための手法として、特許文献５のようなものもある。これは、喫煙や生活における活動などにより汚れた室内の空気を屋外に排出する排気換気手法である。喫煙により空気中に放出される窒素酸化物は皮膚や肺の細胞の脂質を酸化する原因物質である。排気換気により室内の汚れた空気は除去されるため、室内の空気を清浄な状態に戻すことができる。
【０００５】
【特許文献１】特開平６−１７２１２３号公報（００１８欄、００１９欄）
【特許文献２】特開平５−１５６２５０号公報（００１２欄）
【特許文献３】特開２００３−０９７８２６号公報（００３８欄他）
【特許文献４】特開平２−１３６６３１号公報（特許請求の範囲の欄、第３図）
【特許文献５】特開２０００−２０５５９３号公報（００３７欄）
【非特許文献１】「激増  活性酸素が死を招く、丹羽靱負著、日本テレビ発行、１９９４年１１月２２日発行」
【発明の開示】
【発明が解決しようとする課題】
【０００６】
室内の汚れた空気を呼吸すると細胞が酸化し傷つく上に、室内の酸素濃度を高めた空気を呼吸することで、一層細胞が活性化される一方で通常よりも濃度の高い酸素を吸うにより体内での活性酸素の発生量も増加するという課題がある。
【０００７】
また、喫煙等で汚れた室内の空気を屋外に排出することにより、室内の空気を清浄に戻すことができるが、空気が清浄な状態に戻るまではたばこの煙に含まれる窒素酸化物等による酸化刺激を肌や肺の細胞が受け、細胞膜の脂質が酸化による損傷を受ける。又室外に室内空気を排気することで空気調和された空気をも排出すると言う問題が残る。
【０００８】
本発明は、上記問題を解決するためになされたものであり、本発明の目的は健康に良い空気質を提供できる空気調和機とその運転方法を得ることが目的である。また本発明は有害な汚染物質を効果的に排除する空気調和機とその運転方法を得ることが目的である。また本発明は室内の空気状態を快適に感じるだけでなく、人体や設置する室内などに有用な状態を簡単に作り出せる空気調和機を得ることが目的である。又本発明は健康に良い空気室を得る運転で効率的でエネルギーの少ない空気調和機およびその運転方法を得ることが目的である。
【課題を解決するための手段】
【０００９】
この発明に係る空気調和機は、室内から空気を吸い込み熱交換器と送風機を有し空気調和された空気を室内に吹出す空気調和機本体と、空気調和機本体の吹出し口近傍に設けられ抗酸化物質を含む抗酸化物質徐放剤を貯蔵するとともに空気中に徐放する透過膜を有する保有体と、保有体を加熱したり送風などを行い抗酸化物質徐放剤の徐放量を変化させて抗酸化物質の放出量を調整する放出量調整手段と、を備え、室内に吹出す空気の上方側に徐放された前記抗酸化物質を混合させるものである。
【００１０】
この発明にかかわる空気調和機は、熱交換器と送風機を有し空気調和された空気を吹出し口から室内に吹出す空気調和機本体と、吹出し口近傍に設けられ抗酸化物質を含む抗酸化物質徐放剤を貯蔵するとともに空気中に抗酸化物質徐放剤を徐放する透過膜を有する保有体と、保有体に加熱、送風等作用するように設けられ徐放される抗酸化物質の放出量を調整する放出量調整手段と、を備え、吹出し口から吹き出される空気に徐放された抗酸化物質を誘引させて混合するものである。
【００１１】
この発明にかかわる空気調和機は、室内から空気を吸い込み熱交換器と送風機を有し空気調和された空気を室内に吹出す空気調和機本体と、空気調和機本体の吹出し口近傍に設けられた開口部より抗酸化物質を空気中に徐放する透過膜を有する保有体と、室外空気中の酸素と窒素等を分離して酸素を透過する機能膜の酸素を透過する側に設けられ圧力差を発生させるポンプ及び透過膜を透過して酸素富化した空気を供給する空気調和機本体内に設けた酸素吹出し口とで形成される酸素富化装置と、空気調和機本体内部の空気と室外の大気との間で吸気排気可能な吸気排気ダクトに接続され空気調和機本体内部に設けられた換気吸排気口及び吸気排気ダクトに接続され室内空気の換気又は排気を行う換気排気ファンとで形成される換気排気装置と、を構成可能な空気調和機であって、保有体、前記酸素富化装置及び前記換気排気装置の内、少なくとも二つを備え、開口部、酸素吹出し口及び換気給排気口の少なくとも二つは熱交換器に対しそれぞれ異なる方向を向いて配置されるものである。
【００１２】
この発明にかかわる空気調和機の運転方法は、室内から空気を吸い込み熱交換器と送風機を有し空気調和された空気を室内に吹出す空気調和機本体と、空気調和機本体の吹出し口近傍に設けられた開口部より抗酸化物質を空気中に徐放する透過膜を有する保有体と、室外空気中の酸素と窒素等を分離して酸素を透過する機能膜の酸素を透過する側に設けられ圧力差を発生させるポンプを有する酸素富化装置と、にて構成される空気調和機において、保有体から徐放される抗酸化物質の放出量を調整する放出量調整手段をオンオフし抗酸化物質を室内に放出するステップと、酸素富化装置の前記ポンプをオンオフし酸素富化した空気を室内に吹出すステップと、を備え、放出量調整手段及びポンブの運転を切り替えて同時に運転したり、別々に運転させるものである。
【発明の効果】
【００１３】
本発明は、簡単な構造で抗酸化物質を含む抗酸化物質徐放剤の揮発成分を空気調和機から空気中に放出することができ、呼吸による肺細胞への接触および血中への溶解、または、皮膚表面へ接触により、細胞に対して抗酸化作用をおよぼして細胞膜の脂質が酸化されることによる悪影響を抑制すること等で、健康に良い空気質を得ることができる。又この発明は酸素濃度の高い空気を呼吸することによりリフレッシュ効果が得られるとともに、酸素濃度の高い空気を呼吸した場合の悪影響を抑制できる。
【００１４】
また、この発明は喫煙などによって発生する窒素酸化物等で汚れた室内の空気を屋外に排出したり、抗酸化物質を放出することにより、汚染物質による肌や肺の細胞が酸化されることを抑制することで、空気の汚れによる体への悪影響を抑制出来健康に良い空気質を得ることができる。又この発明は、空調機が使用するエネルギーを抑えながら健康に良い、あるいは設置された室内を清浄に保つ空気質を得ることができる。
【発明を実施するための最良の形態】
【００１５】
実施の形態１．
図１は本発明の空気調和機のシステム構成図で、冷凍サイクルおよび制御システムを含む構成図である。本発明の空気調和機を図１に示す様に、室内機と室外機を有するセパレート形空気調和装置の例で説明する。冷凍サイクルは吐出配管、吸入配管２、３を通して冷媒を循環させる圧縮機１、冷房、暖房など設定される運転モードに応じて冷媒の流れる方向を切り替える電子制御式膨張弁などが使用される冷媒流路切換え弁５（以下四方弁と称す）、室外機側に配置され外気と冷媒間の熱交換を行う室外側熱交換器８、冷媒を膨張させる減圧装置７、室内機側に配置され室内空気と冷媒との熱交換を行う室内側熱交換器６、などを配管で接続されて構成している。室内機は一つでも複数でも良いし、また室内機が室外機から遠く離れて設置されていてもガス側延長配管１３や液側延長配管１４にてそれぞれの配管接続口１３ａ、１３ｂ、１４ａ、１４ｂにより接続できる。また冷凍サイクルに冷媒量の調整が可能なアキュムレータ４などを設けても良いし必要なければ外してもかまわない。
【００１６】
室内側熱交換器６の熱交換は室内フアンモータ１０により駆動される室内ファン９により行われ、室外側熱交換器８の熱交換は室外フアンモータ１２により駆動される室外ファン１１により行われる。それぞれのファンモータの駆動制御は、室内制御装置１５、室外制御装置１６にて設定され、室内ファン駆動部１５ｂ、室外ファン駆動部１６ｂにて行われる。即ち空気調和機の操作に使用する集中制御装置、例えばリモコン２２にて空気調和機の運転停止、運転モード切換え、温度設定値の変更等が行われる。更には、必要に応じ風速の変更、運転時間をタイマーで設定など多くの機能がリモコン２２には設けられている。リモコン２２からの赤外線信号は室内機３１に設けられたリモコン受光部１５ｃを介して、室内制御装置１５から室外制御装置１６に通信線により伝送される。室内制御装置１５にて換気排気ファン駆動部１５ａを通して換気排気用ダクト２０２を通して室外への排気などを行う換気排気装置２０１の運転停止など、また抗酸化剤放出コントロール部１５ｄを通して面状ヒーターのオンオフを制御し植物抽出剤を加熱して徐放量をコントロールするし、また一方室外制御装置１６にて圧縮機駆動部１６ａを通して圧縮機の運転停止や周波数の調整など、減圧装置７の開度調整等、また真空ポンプ駆動部１６ｃを通して真空ポンプ１０２の運転停止などを行う。
【００１７】
真空ポンプ１０２は酸素富化膜１０１を通過させて外気を吸い込み酸素の多い空気となり、酸素富化空気様ダクトの室外機側１０３ａから室内機側１０３ｂを介して室内機内に設けられた酸素富化空気の吹出口１０５から吹出され、室内ファンにより室内空気と混合される。また必要な長さに応じてダクト１０４を接続ジョイント１０４ａ、１０４ｂにて接続して延長することが出来る。本発明の空気調和機の冷媒を循環させている圧縮機１の回転制御としては回転速度が可変可能なインバータ駆動方式を使用するとした場合、室内機に取り付けた室内制御装置１５が室内機内蔵の室温検出サーミスタ１９により検知された室温と、リモコン２２により所望する室内空調条件として設定された設定温度との差を算出して、室外機に設けた室外制御装置１６に運転情報を伝送する。この室外制御装置１６は、室内制御装置１５からの運転情報に基づき自動的に圧縮機駆動回転数の制御を行い、これにより圧縮機から吐出する冷媒を凝縮器側熱交換器、減圧装置、蒸発器側熱交換器から形成される冷凍サイクル内を循環させている。冷媒は炭化水素や炭酸ガスのような自然冷媒や塩素を含まないＲ４１０Ａのような代替フロンガスなどを使用することにより自然環境対策となる。
【００１８】
室外機には、室内空気に対し酸素濃度を高める酸素富化膜１０１を内蔵し酸素富化膜支持構造体４５と酸素富化膜１０１を内蔵するユニットと真空ポンプ１０２を備えるとともに、室外機内に収納され真空ポンプ１０２を介して酸素富化膜内蔵ユニットに接続した酸素富化空気用ダクト（室外機側）１０３ａを備えている。この酸素富化膜１０１で生成した酸素富化空気を室内側へ導入するため室内機側と室外機側をダクトで接続する酸素富化空気用接続ダクト１０４を備え、その接続ジョイント１０４ａ、１０４ｂで容易に接続が可能である。又室内機には酸素富化空気用ダクト（室内側）１０３ｂとそれに接続されて酸素富化空気を室内に吹出すための酸素富化空気吹出し口１０５が設けられる。なお酸素富化空気用接続ダクト１０４及び室内機側の酸素富化空気用ダクト１０３Ｂは外径６ｍｍ程度の小径チューブを使用している。なお室外機１台に対し複数の室内機を設けるマルチシステムの場合は、各室内機には酸素富化空気用ダクト（室内側）１０３ｂとそれに接続されて酸素富化空気を室内に吹出すための酸素富化空気吹出し口１０５が設けられ、室外機内で分流されたり、あるいは室外制御装置１６の制御で弁により供給先がコントロールされる。又同様に室外制御装置１６の制御でダクト内乾燥用外気導入弁１０６を制御して、一定間隔で酸素富化空気用ダクト内に付着した結露水を乾燥させる運転を行うことが出来、室内機に余計な水分を送ることが無い。
【００１９】
酸素富化膜内蔵ユニットに用いる機能膜１０１は、空気中の酸素や窒素などの分子に対し、特に酸素を透過し易い機能膜、あるいは酸素富化膜であり、この酸素富化膜である機能膜を透過した空気は酸素濃度が高くなり、自然界の酸素濃度が約２１パーセントであるのに対し、約３０パーセントの濃度の空気を作り出すことが可能である。又酸素富化膜に空気を透過しやすくするため、この酸素富化膜を空気を通過させるため２次側に設けた真空ポンプ１０２により減圧することで高濃度酸素を抽出し、更にこの真空ポンプ１０２の吐出口から室内機の中へ高濃度酸素を導き、室内機が室内に室内ファン９により吹き出す空気と混合することにより室内の広い範囲にわたり高濃度酸素を含む空気を分布させることができる。
【００２０】
又室内機には換気装置２０１と換気用ダクト２０２を備えている。此処では換気用ダクト２０２には内径２５ｍｍ口径のダクトを使用している。又各種制御に必要なセンサー類が設けられている。圧縮機の異常保護のため圧縮機温度サーミスタ１７が圧縮機１に、冷凍サイクルの運転や空気温度など空調機運転のため室内機配管温度サーミスタ１８が室内側熱交換器６に、室外機配管温度サーミスタが室外側熱交換器８に、圧縮機駆動や温度所運表示などに使用する室温検出サーミスタ１９が室内機の空気吸い込み口に設けられている。これらの検出器は空調機の運転など必要に応じて減らしたり、あるいは冷凍サイクルを循環する冷媒の圧力検知などを増やしたりしている。更に、室内空気の汚れを検出する空質検知手段である室内空気汚れ検知センサー２１を室内機の室内空気を吸い込む吸い込み口に設けており、このセンサー２１により例えば室内の空気がタバコの煙に反応して汚れていると判断したときには換気装置２０１の換気排気ファン２０４を、室内の空気を室外に排気する方向、すなわち排気を行う回転方向に換気排気ファン駆動部１５ａにて駆動させ換気排気用ダクト２０２を通して室内から室外へ汚れた空気を排気する。又、このセンサー２１が室内空気の汚れを所定基準以下と判断すれば、外気の空気を室内に吸気する回転方向に換気排気ファン駆動部１５ａにて換気装置２０１の換気排気ファン２０４を駆動させ室外の新鮮な空気を換気排気用ダクト２０２を通じて室内に取り入れる。
【００２１】
なお、空気質を検知する空気汚れ検知センサー２１として、各種目的に応じたセンサー類が存在する。埃、花粉、タバコ、などに反応するセンサー、二酸化炭素濃度に応じて反応するセンサー、酸素濃度に反応するセンサーなど、さまざまに存在するので、検出したい対象成分に応じたセンサーを選択すればよい。もちろん複数のセンサーを設けても良いし、空気の汚れの種類に応じて、空気質を改善する装置を作動させることが可能になる。上記に説明した換気排気装置２０１ではなく、例えばタバコの煙を感知し室内機に取り付けた空気清浄装置２８の電極に通電し電圧により空気をイオン化して空気の清浄化を図ったり、酸素濃度低下により酸素濃度を上げた空気を酸素富化膜１０１を有する酸素富化ユニットのポンプ１０２から供給したり、二酸化炭素が増加したことを検知した場合に換気排気装置２０１で外部から室内にフレッシュな外気を取り入れるなどが可能である。
【００２２】
なお此処では室内空気の空気調和を行い空気質を改善する空調機本体としてセバレート型空調機の室内機を中心に説明してきたが、室内から空気を吸い込み室内に空気を噴出すものであれば室外機・室内機一体型のものでも、室内との間をダクトで室内空気をやり取りするダクト型空調機でも良いことは当然である。この場合室内に一体型空調機を設ける場合は酸素富化ユニットや換気排気装置には室内と室外との空気導通路であるダクトを設けておけばよいし、ダクト通風の場合は空調機用ダクトを室内の範囲と考えて空気質を改善する装置を設ければ良い。
【００２３】
次に本発明の空調機本体の構造を、図２，図３により室内機の構造として説明する。図２ａは前から見た室内機を示し、図２ｂはこの室内機の部分断面を示す図である。図２ａが示すように室内機３１の上部には格子状で示すように室内の空気を吸い込む空気吸い込み口があり、その下には化粧パネル３０が周囲を取り囲む室内機本体５４の中央部をカバーするように設けられ、その下部には吸い込んだ室内の空気を空調して吹出す吹出し口３３が設けられている。この吹出し口３３の上部で化粧パネルの境目には窓状の開口部３２が配置されている。なお、この室内機の構造では吹出し口３３の右端部には空調機を運転するスイッチや運転状況を表示する表示ランプなどが設けられている。
【００２４】
図２ｂの断面構造説明図が示すように室内機３１の上部の空気吸い込み口には図の矢印３５ａのように空気の流れが内部に吸い込まれることを示している。又前面を覆う化粧パネル３０の内部には上部から吸い込まれた空気の塵埃を取り除く集塵フィルター５１が設けられ、その下部には室内側熱交換器６の下部に設置されドレン水を集めるドレンパン５３の前に、植物抽出剤を貯蔵する透過膜、例えば一つの貯蔵用透過膜で覆われた包みの中に植物成分を含む液状の精油をいれたものや複数の粒子状の透過膜の中に粉末を入れたものなどを、ケースに収め、このケースを格納するケースホルダー４０が室内機前面部に固定されている。このケースホルダー４０のケース内の透過膜から室内機本体にあいた窓である開口部３２が室内機外部である室内へ植物抽出剤が水蒸気分子やガスの形で徐々に放出され、そのときにこの植物抽出剤中の抗酸化剤が室内空気の中に放出される。更にこの窓である開口部３２から植物抽出剤を貯蔵するケースを外部から覗くことが出来、半透明又は透明の膜を通して液の貯蔵量を確認したり、透過膜全体の変化により揮発して減少した量、即ち残留量を知ることが出来る。
【００２５】
又、室内機３１の吹出し口３３から室内へ空調された空気３５ｂが吹き出されるのでこの吹出し流３５ｂに吸い込まれるように化粧パネル前面の空気は矢印３５cの流れのように吹出し口３３からの吹き出した空気に混合される。このとき開口部３２から抗酸化剤が室内空気の中に放出されるので室内空気への吹出し風へこの徐放された抗酸化剤が含まれることになる。
【００２６】
図３は室内機の斜視説明図であり、この図３にて別の室内機３３の構造における開口部３２から抗酸化剤が室内空気の中に放出される室内空気への吹出し風の流れを説明する。化粧パネル３０には前面を開閉する前面パネル３４があり、この前の空気は風の流れ３５のように吹出し口３３から吹出される噴流に吸い込まれるようにながれる。このとき室内機本体５４に設けられた開口部３２から徐放された抗酸化剤をも吸い出している。なお室内機の中央で、且つ、開口部３２の横には空調機を運転するスイッチや運転状況を表示する表示ランプ、各種センサー類が設けられている。この室内機の内部には室内側熱交換器６、室内ファンモータ１０により駆動される室内ファン９、室内制御装置１５などが内蔵されている。
【００２７】
なお図２、図３の例では吹出口３３近傍の吹出口の上部であって前面パネルの中に抗酸化物質を含む抗酸化物質徐放剤である植物抽出剤を貯蔵するとともに空気中に徐放する透過膜を有する保有体を設ける構造を説明している。このように抗酸化物質を徐放することは、第１に吹出口から吹出される室内に送り出される空調された空気の流れに揮発され、あるいは徐々に放出された抗酸化物を吸込まれる構成であれば、室内へ拡散させる特別な構造が無く、簡単な構造で安価なものとすることが出来る。したがって、吹出口の下部に室内機、即ち空調機本体の外部に取りつけたり、室内機内部の吹出口につながる風路内の壁面、例えば上面や側面や下面などから吸い出せる窓のようなものでも良い。
【００２８】
第２に吹出口の上部であれば室内に送風される風の中の上の部分の流体に先ず混合することが出来る。吹出し風の上部の流体は室内全体に拡散しやすいので特定の個所に集中せず何処に人がいても効果を得ることが出来る。更に室内全体に拡散しやすいということは、室内の壁や家具などが酸化によって色落ち、劣化、埃・ダニ・黴が酸化により腐敗し臭いが発生などを防ぐことが容易になる。抗酸化物質徐放剤に含まれる抗酸化物質としては、分子量の大きい高分子抗酸化剤では、たとえば、ＳＯＤ、カタラーゼ、グルタチオン、リン酸グルコース、パーオキスターゼ、脱水素酵素などの酵素類、分子量の小さい低分子抗酸化剤では、たとえば、ビタミンＥ、Ｃ、Ｂ２、カテキンなどに代表されるポリフェノール類、フラボノイド、タンニン、カロチンなどがあげられる。この中から例えば、抗酸化物質徐放剤として、植物抽出剤であるローズマリー精油を使用する場合、比重が空気より重く、加熱などにより抗酸化物の放出量を増加させるコントロールしない場合でも、自然的に徐放される抗酸化物は徐々に吹出口などの室内機下部の方向へ下がり室内にいる人などへ良い影響を与える。吹出口の上部に抗酸化物を放出する保有体や窓である開口部３２を設けるとは、室内機の外部でも、あるいは吹出口につながる風路の上面の壁でも良いということである。
【００２９】
なお植物抽出剤とは、例えばローズマリーの葉を水蒸気と１、３ブチレングリコールで蒸して出てきた気体では、水や１、３ブチレングリコールとローズマリーからの抽出物が交じり合ったものとなる。又精油として取り出したい場合は水蒸気で蒸して、出てきた液体の内油と水が分離するのでこの油を取り出す。この様に抗酸化物成分を含む植物から取出し、液体状あるいは粉末状にしたものが植物抽出剤であり、この植物抽出剤を他の有機物や無機物に混合したり練りこんだり坦持させたりなどで固形体としても良いことは当然である。又植物抽出という過程を経なくとも抗酸化作用の有る物質はすでに知られており。このような純物質を化学合成で製造することも出来る。即ち抗酸化物質徐放剤として抗酸化作用の有る物質を含むものであれば良く、且つ本発明はそのようなものを徐放させて空調機から吹出される空気中に混入し空気質を改善しようというものである。
【００３０】
第３に前面パネルの中に保有体を設けているが、前面パネルは集塵用のフィルター清掃などメインテナンスの為、簡単に開放できる様になっている。したがって、抗酸化物質を含む植物抽出剤を貯蔵している保有体の貯蔵量は空調機の運転に応じて減少していき、例えば１年ごとに取替えや充填が必要になっても簡単にこの保有体のメインテナンスが行える。なお空気中に徐放する透過膜を有するこの保有体の透過膜は貯蔵された植物抽出剤の残留量が目視可能なように透明部分もしくは半透明部分を有するので、室内機の外部から目視で窓である開口部３２を通して残留量を確認することが出来る。なお残留量の確認は重さなどの物理量や、１年間などのあらかじめ設定した期限でも良い。
【００３１】
図４乃至図８は空気調和機本体の吹出し口近傍に設けられ抗酸化物質を含む抗酸化物質徐放剤である植物抽出液を貯蔵するとともに空気中に徐放する透過膜を有する保有体周りの構造を説明する図である。図４は保有体を説明する側面と断面を示す図で、包み状の透過膜３７の内部に植物抽出液３６が貯蔵されている。この保有体の透過膜３７を通して植物抽出液から気化したガスが徐々に放出され内部の液は減少していく。図５はこの保有体を格納するケース３８を説明する図で、ケースの斜視図並びに断面図である。ケース３８は上部で二つに割れて内部に保有体を収納できる様になっている。ケース３８の側面には複数の孔３９が設けられており、この穴から徐放された抗酸化物がケースの外へ放出される。更にこの穴を通して内部の保有体の状況、例えば半透明な透過膜３７を通して植物抽出液３６の減り具合を覗き見ることが出来る。このようなケース３９を使用することによりフレキシブルな包み状の透過膜を使用しても、複数の粒体状の抗酸化物質徐放剤を貯蔵する透過膜を使用しても、孔３９の径の大小を変えたりするなどでケース内に収納できる。もちろんケース無しにケースホルダーに直接保有体である抗酸化物質徐放剤を貯蔵する透過膜をそのまま収納しても良い。
【００３２】
図６は室内機の前面パネルを開放した状態で見える構造で、この前面パネル内側に取りつけられた保有体の構造を説明する図である。透過膜３７の中に抗酸化物を含む植物抽出剤３６を貯蔵した保有体はケース３８の中にしまわれている。このケース３８を収納するケースホルダー４０が前面パネル３４を上に上げて開放すると見えてくる。ケースホルダー４０はドレンパンなどと同様に室内機本体５４に差し込まれて固定されるなど取りつけられ、プラスチック製で下にケース収納部が上に開放される蓋が付いている。図６ではこの蓋が開放されケース３８が取り出された状態を示す。ケースホルダー４０には前面に孔である残量確認窓４２が、吹出口３３の上部にある開口部３２に対応した位置に設けられている。パネル内側には集塵用のフィルター５１がフィルター枠５７に取り付けられ室内機本体５４等に固定されているが、このフィルターの固定状態での取りつけと、ケースホルダーの固定は、全く独立した別個のものであり、したがって、フィルター５１の着脱とケース３８の取替えは個々に別個行われるものである。
【００３３】
また図のようにフィルター５１とケースホルダー４０は相互に邪魔にならない様にフィルターの一部が切り欠きがあり、例えばケースホルダー４０の着脱動作をスムースに行える様にしてある。図６ではフィルターを切り欠いて奥行きがこのフィルター５１と同じ程度の位置にケースホルダー４０を設ける構造を示したが、ケースホルダーをフィルターに無関係な位置に設けることによりそれぞれを独立して扱えるし、例えフィルターを化粧パネル側に出し入れ自在に固定すればフィルターの後側にケースホルダーを設けても独立したメンテナンスが行えることは当然である。なお図２、図３の説明では室内機の室内空気を吸込む吸込口３は上部に設けているが、前面に設けても良く、その場合は吹出口３３につながる室内機の内部風路に開口部３２を設けると良い。また図６のようにフィルターが前面パネル下端部のような下のほうまで伸びているが、この背部まで室内側熱交換器が存在し、上部から吸込まれた空気はフィルターを通り、熱交換器を通って空気調和が行われる。なお前面パネルを開くとケースの取っ手が見える構造であり、植物精油の残留量が無くなっても簡単に交換できる様に一目見ただけで誰でも扱える構造としている。
【００３４】
図７、８はケース３８をケースホルダー４０の内部に収納した説明図で、この時室内機の開口部３２から残量確認窓である孔４２が覗けるようになっている。ケーホルダー４０の内部裏側を説明する図で、ケースホルダー４０内部にはケース３８に接触する形で面状ヒーター４３が設けられている。ヒーターは通電することにより絶縁物で完全に覆われた電線ヒーターのような加熱体が加熱されケースを最大６０℃くらいまでの温度にすることが可能である。したがってケース３８はこの熱に十分耐えられる様ポリプロピレンなどを使用している。植物抽出剤の徐放時の放出速度は温度に依存し、例えば６０℃では２５℃の約２０倍に加速される。このヒーターは、保有体を加熱して植物抽出剤の徐放量を変化させて抗酸化物質の放出量を調整する放出量調整手段としても受けられており、加熱以外の手段、例えばケースホルダー部へ気流の流をバイパスさせるなどの構造でも良く、効果的に放出量を調整できるものなら何でもよい。又、抗酸化物質を放出していることをリモコンや室内機に表示することで心理的にも生理的にも良い影響を与えるが、ヒーターをオンオフさせると放出量の揺らぎを発生し、このオンオフ、即ち放出量の大小の変化を画像で表示させることによりユーザーに対し覚睡作用や鎮静作用など一層の心理生理作用効果をも与えることが出来る。
【００３５】
以上説明した様に、図１−３に示す熱交換器８と送風機９からなる空気調和機の室内機
３１は、図４に示す抗酸化作用をもつ１、８−シネオールを含むローズマリー、ユーカリなどの植物抽出液３６をＥＶＡコポリマーやポリエチレンなどの透過膜３７で封止した保有体を図５−図８の様に内部に取りつけている。このように、植物抽出液３６を透過膜３７に封止することで、植物抽出液３６に含まれる揮発成分の徐放量を調整する。抗酸化作用をもつ成分である１、８−シネオールはＣＨ３７Ｏを含む分子構造を持ち、ビタミンＣやビタミンＥに比べて分子量が小さく常温で揮発するため、透過膜７の材質、膜厚を選定することにより空気中への空調機停止時などの通常時の放出量を設定できる。これにたいし例えば肌細胞で活性酸素を除去する効果がある放出濃度と時間を維持する放出量を設定した放出量調整手段である加熱などでの放出量と透過膜内の貯蔵量から寿命を考えれば良い。実験結果などより透過膜は透明性の高い不織布であり数十ミクロンの厚みが望ましく、特に１、８−シネオールが比較的透過し易いことを考えると１年間以上の徐放寿命を確保するため厚みを厚く例えば５０ミクロン以上、望ましくは６０ミクロン程度の厚みのものを使用する。なお図５、図６の様に植物抽出液３６の貯蔵した中間の位置で覗き窓から残留量を確認するようにしているが、これは植物抽出液中の抗酸化物の放出が比較的早いことから、この辺まで貯蔵液が減少すれば、抗酸化物の大半が放出されたとしてケース３８の交換時期が来ていることを示している。
【００３６】
そして、透過膜３７を透過した抗酸化作用をもつ１、８-シネオールを含む植物抽出液の揮発成分は、室内機３１の室内ファンである送風機９の吹きだし口３３の上部に設けられた開口部３２から室内機３１の外部に放出される。放出された揮発成分は室内機の前面のパネル３４表面を吹きだし口３３に向かって流れる風３５に乗って、吹きだし口３３から吹き出される風とともに室内に拡散する。このように、室内に拡散することで、人の皮膚表面や呼吸により肺から抗酸化物質が人の体に吸収され、更には室内にいるペット、室内に配置された家具や壁面にいたるまで良い影響を与える。なお、室内ファンが停止するとこの影響を受けてヒーターの温度が上昇することなどを考えて室内ファン停止時は面状ヒーターへの通電を停止するなど空調機の運転状況に合わせて抗酸化物質放出量を調整する放出量調整手段のオンオフや温度の設定を換えるなどの制御を行うことにより、木目細かな省エネルギー対策と空気質改善対策が可能になる。
【００３７】
図９ないし図１３は酸素富化ユニットを空調機に設ける構造を説明する図である。図９は室内機３１の前面パネル３４を開放した状態の図で内部構造説明図、図１０は空調機の室内機と室外機の接続概要図、図１１は酸素富化装置の取りつけ説明図、図１２は酸素富化装置の主要構成説明図、図１３は酸素富化装置の動作説明図である。
【００３８】
図９の様に室内機の前面パネル３４を上部に上げて開放すると、空気清浄装置２８が左側略全体に設置され、このハニカム形状の風路が前面側から背面側に通しその後でフィルター５１を通して吸込まれた室内空気から塵埃などが取り除かれ、更に室内側熱交換器６から室内ファン９を介して再び室内に吹出される。この間空気清浄装置２８とフィルター５１では空気が清浄化されるとともに熱交換器で冷却されたり温められたりする。向かって右側の室内空気を吸込んだ流を妨げないような吹出口に近い下端位置に、透過膜３７を透過した抗酸化作用をもつ１、８−シネオールを含む植物抽出液を内蔵する保有体を収納するケースホルダー４０が設置され、徐放される抗酸化物は熱交換器とは逆の方向である前面側へ放出する様に開口部３２が位置している。酸素富化用吹出口１０５が熱交換器側を開口してケースホルダーの上部に図示しない取りつけ桟に固定され設けられている。更に、換気排気給排気口２０８が前面パネル３４の直ぐ内側で、ケースホルダー４０や開口部３２とは離れた位置に設けられ、その開口は空気の流れとは直角方向の空調機の長手方向に向けられている。これにより室内空気を吸込み空気調和を行う空気の流れを極力乱さないようにしている。
【００３９】
即ち、空気調和機の室内空気を吸込み室内に再び戻すという空調機本体の内部構造を通過させるメインの流れに対し、開口部３２、酸素富化用吹出口１０５、換気排気給排気口２０８はそれぞれ極力メインの空気の流に影響しないような位置および気流を発生させる開口の向きとするとともに、空気質を改善するそれぞれの装置の気流を発生させたり気流を乱す開口は、即ち空気清浄装置２８の通風路、抗酸化物放出の開口部３２、酸素富化用吹出口１０５、換気排気給排気口２０８は、即ちそれぞれの開口は、室内側熱交換器６に対する位置・方向の選択がそれぞれ相互に異なる位置で、且つ、相互に異なる方向に向けられ相互の効果が打ち消されない様、且つ、空気清浄の目的に対し相乗効果が得られるように選択される。
【００４０】
図１０では壁を挟んだ室内には室内機３１が壁に取り付けられ、室外には室外機５５が設置され、室内機３１と室外機５５の間を図１で説明した冷凍サイクル用の配管が接続している。また酸素富化装置の酸素富化膜１０１、真空ポンプ１０２が室外機に配置されており、酸素富化用吹出口１０５が室内機に設けられているので、その間で酸素富化空気を室内側に流すダクト１０３ｂなどがやはり同様に室内機と室外機を接続している。又室内機から室外へ室内の汚れた空気を排気する等の為に換気排気用ダクト２０２が冷凍サイクルの冷媒を循環させる配管が壁や床面に設けられた孔と同じ孔を通した直接外部へ貫通させる。これにより無駄な穴をあける必要がない。
【００４１】
図１１、図１２では酸素富化装置の構成を説明する。酸素富化膜１０１を設けてある酸素富化ユニット４４と真空ポンプ１０２は室外機５５には位置され、この酸素富化膜１０１に新鮮な外気を送風する送風機として室外ファン１１が使用される。真空ポンプ１０２にて室外機から酸素富化した空気が室内機に送られて酸素富化用吹出口１０５から室内機３１の中へ吹出される。酸素富化用吹出口１０５が室内機の吸込み側に設けられているので、この酸素富化空気は室内空気と混合されて室内側熱交換器６で冷やされたり温められたりし、室内ファン９で再び室内へ戻される。これにより室内にいる人にリフレッシュ効果を与えることが出来る。
【００４２】
図１２は真空ポンプ１０２に接続される酸素富化ユニット４４が酸素富化膜１０１と減圧室を形成する酸素富化膜支持構造体４５で構成されていることを示す。この酸素富化作用の動作を図１３にて説明する。図１３は保有体の正面図と断面図で、酸素富化膜支持構造体４５が形成する減圧室は真空ポンプ１０２にて減圧されるとともに高濃度酸素空気を減圧室から室内機へ送り出している。一方広い面積を有する正面、もしくは裏面等にも設けられた酸素富化膜１０１の反減圧室側は室外ファン１１の送風により１次空気として外気が導入されて通過し常に新鮮な外気が供給され、酸素富化膜１０１にて酸素が減圧室側へ取られるので窒素が高濃度になった２次側空気として再び大気中に放出される。
【００４３】
このように図１１に示すように室外機５５に酸素富化ユニット４４と真空ポンプ１０２、送風機１１を搭載することで、屋外の空気から酸素濃度の高い空気を取り出し、高酸素濃度空気を室内に放出する。酸素富化ユニットは図１２に示すように、酸素富化膜１０１とその支持構造体４５で構成されており、支持構造体４５の内部を真空ポンプ１０２で大気よりも低圧にすることで、屋外の空気が酸素富化膜１０１を透過して支持構造体４５内部に移動する。酸素富化膜１０１は酸素に比べて窒素を透過しないめ、支持構造体４５内部に透過した空気の酸素濃度は高くなる。この酸素濃度が高くなった空気を真空ポンプの吐出力によりチューブであるダクトを通して室内機３１に送り、室内機から部屋の中に放出することで、室内の酸素濃度を高めることができる。このように、室内の酸素濃度を高めることで、人が呼吸で体内に取り込む酸素量が増加し、細胞の代謝が活発になり、同時に活性酸素が発生しやすくなる。このとき、開口部３２から抗酸化物質を同時に放出するようにすれば、抗酸化物質も同時に体内に取り込まれるため、抗酸化物質が活性酸素を消去する働きをして、酸化の悪影響を抑制することで、濃度の高い酸素を呼吸することの悪影響を抑制することができる。
【００４４】
図１４−１６は換気排気装置を説明する図である。図１４は室内機３１に室内ファン９とは別に換気排気ファン２０４を設けた構成を説明しており、換気排気ファンの回転方向を排気方向に回転させれば室内の汚れた空気を室内機の中から外部に排気することが出来る。一方このファンの回転方向を排気方向と逆回転させれば、新鮮な外気を室外から室内に導くことが出来る。この場合、図１０にて示す様に換気排気ダクト２０２の外部の空気給排気口は酸素富化ユニット４５、特に酸素富化膜１０１から離すことにより高濃度窒素を含む２次空気を外気として吸込むことを防止できる。これは換気装置と酸素富化装置を一緒に運転しないときにも室外機の配置によっては有効となる。又、換気排気給排気口２０８を室内機の中にも受ける構造を示したが、換気もしくは廃棄を行うのに都合の良い場所であれば例えば室内機の外であっても良いことは当然である。
【００４５】
図１５は換気排気装置の分解説明図で、換気排気ファン２０４は換気排気モーターケーシング２０７に覆われた換気排気モーター２０５にて駆動され、換気排気ケーシングで周囲を覆われているので、室内機の中に配置されたとしても室内へ騒音を伝えることを押さえられる。この換気を行うか排気行うかの動作は図１で説明した様に室内空気汚れセンサーの検出結果等に基づき自動的に行われる。室内制御装置１５に設けたマイコンに設定されたソフトウエアがセンサー信号を受けて判断し行う。
【００４６】
図１６は室内機に換気排気装置を設けた構造の説明図である。換気排気装置２０１は室内機３１の側部で室内制御装置１５のような電機品が設置された端部とは反対側の端部に、室内側熱交換器６の通風面を妨げない様に配置される。この装置の給排気口２０８は同様に熱交換器６の通風面を妨げない熱交換器６吸込み面の端部に、その開口を熱交換器通風面と略直角に向けて給排気するように設けられる。なお熱交換器６の吸込み面である前面パネル側には３４側には同様に酸素富化空気の吹出口１０５が設けられているが、給排気口２０８とは離して熱交換器６の中央より反対側に設け相互の干渉や排気時に高濃度酸素を排気するなどの無駄を防止している。。且つ、吹出口１０５の高濃度酸素を吹出す方向は熱交換器６の吸込み面を向いている。これにより室内ファン９の吸込み力により酸素富化膜を通す空気が例え真空ポンプの動力が低い状態でも有効に働くことになる。
【００４７】
なお以上の説明では各種空気質改善装置の各開口をフィルター部５１の吸込み側の前面パネル３４との間に設けている。これは室内ファン９の通風特性に与える影響を少なくするためである。空気清浄装置２８の場合は電極に電圧を加え発生するオゾンやイオンなどで空気の汚れを清浄にし室内の空気にマイナスイオンを多すぎない自然界に存在する量を吹出させるために熱交換器６を通すことが有効であるが、この考えでは空気清浄装置２８をフィルター部５１と熱交換器６の間に設けても良い。次に換気排気装置の給排気口２０８は室内機の側部であって、酸素富化空気の吹出口１０５や抗酸化物質を放出する開口部３２と熱交換器６の中央より反対側であれば相互の影響に問題がないため、特に前面パネルに近い位置でなくともよい。換気排気装置の給排気口２０８は室内機３１の側面のメイン風路から外れた位置で、汚れた空気が対流する部分や直接室内への換気排気を行う位置などでも良く、比較的自由に選択できる。又、逆に酸素富化空気の吹出口１０５と抗酸化物質を放出する開口部３２を配置する位置は換気排気装置の給排気口２０８と異なる位置であって、酸素富化空気の吹出口１０５は人体に向け全体的に分散されるようにすると良く、一方抗酸化物質を放出する開口部３２は空気より比重が重い事と室内に広く分散することが良いので、室内に吹出す空気調和機の吹出し気流の上方に混合することが望ましい。即ち酸素富化空気の吹出口１０５は吸込み側に近いほうに設け、抗酸化物質を放出する開口部３２は吹出し側に近いほうに設けると良い。
【００４８】
次に各種空気改善装置の運転についてを図１の制御システムに基づき説明する。既に説明した様に換気排気装置２０１は室内制御装置の設定に基づき、室内汚れ検知センサー２１の信号を受けて換気と排気が行われるが、このセンサー無しでもリモコンに設けるスイッチにより手動で運転を行っても良い。又空気清浄装置２８の動作についても換気排気装置２０１と同様に自動的、あるいは手動にて行うことが出来る。
【００４９】
酸素富化装置２０１と抗酸化物を放出する放出量調整手段４３の動作については、リモコンに設けた１つの押しボタンスイッチにより、切換えて行うことが出来る。リモコン２２の酸素・サプリメント用スイッチとして、１回押せば酸素富化空気の吹出口１０５から高酸素濃度空気の放出と開口部３２から抗酸化物質の放出が同時に行われ、２回押すと前者のみが、３回押すと後者のみが、４回押すと両方ともオフする動作の様に、１つのスイッチで放出物などが切りかえられる。すなわちリモコンを手に取ったユーザーの気分や必要に応じて空気質改善の選択をすることが可能である。例え疲労が溜まったと感じた時には両方を一緒にオンさせる動作とし、普段は抗酸化物質の放出だけにしておくと１時間連続して抗酸化物質の放出が行われ、３時間休んだあと、また１時間連続して抗酸化物質の放出が繰り返され、良好な空気室を保つことが出来る。これらの運転状況はリモコンの液晶表示画面や室内機の表示部に表示されるので、現在どのような空気質改善が運転が行われているか、更には運転予定を含め読み取ることが出来る。
【００５０】
同様な動作を空気清浄装置と汚れた空気の排気の組合せ、抗酸化物質の放出と換気としての新鮮な空気の供給の組合せ、高濃度酸素空気の供給と換気の組合せなども、好みに合わせてリモコンのスイッチで行える。このスイッチは１つのスイッチによる選択でも、それぞれ別のスイッチによるオン動作でも良いことは当然である。又ユーザーが希望のメニューをリモコン内のマイコンに記憶させておけばエアコンの動作に応じて毎日同一動作のサービスが受けられる。この作業はリモコンのスイッチ操作で簡単に記憶させたり、記憶内容を変更させたりすることが可能である。以上までは空調機のリモコンスイッチの操作で説明してきたが、携帯電話のマイコンにリモコンと同様なソフトウエアを記憶させれば外部から予め設定しておくことが出来る。これにより帰宅する前に室内の空気質を改善しておき、最もリラックスできる状態を予め設定することが出来る。携帯電話の送信は自宅の中継器等を通じてエアコンに電力線や無線などで伝えられる。
【００５１】
この発明にかかわる室内から空気を吸い込み熱交換器と送風機を有し空気調和された空気を室内に吹出す空気調和機は、空気調和機の吹出し口近傍の開口部より抗酸化物質を空気中に徐放する透過膜を有する保有体を設け、更に室外空気中の酸素と窒素等を分離して酸素を透過する機能膜の酸素を透過する側に圧力差を発生させるポンプを有する酸素富化装置を設け、保有体から徐放される抗酸化物質の放出量を調整する放出量調整手段をオンオフし抗酸化物質を室内に放出するステップと、酸素富化装置のポンプをオンオフし酸素富化した空気を室内に吹出すステップと、を備え、放出量調整手段及びポンブの運転を切り替えて同時に運転したり、別々に運転させるものである。
【００５２】
更にこの発明は、空気調和機本体内部の空気と屋外の大気との間を連通する排気可能な排気口を設けた排気ダクトを室内から室外に通し、更に排気ダクトに接続され室内空気の排気を行う排気ファンとで形成される排気装置を設け、排気ファンの運転は、保有体から徐放される抗酸化物質の放出量を調整する放出量調整手段の運転及び前記酸素富化装置のポンプの運転と、異なる時間帯で行う。これにより、室内の空気質を改善している最中に室内空気を排気するなどの無駄な動作が無くなり省エネルギーにも効果がある。
【００５３】
又この発明は、空気調和機本体内に吸い込んだ室内空気を電極に電圧を加えて清浄化する空気清浄装置を設け、空気清浄装置の電圧印加は、保有体から徐放される抗酸化物質の放出量を調整する放出量調整手段の運転と前記酸素富化装置の前記ポンプの運転と、異なる時間帯で行うことで、あるいは換気装置をも動かさない様にすることで、電力の使用を集中することなくピーク電力を抑えることが出来、電気代を少なくすることになる。又環境対策としても有効である。
【００５４】
又この発明は、図１４に示すように、室内機に排気用送風機２０４を設置することで、喫煙等で室内に生じた窒素酸化物ＮＯ２など酸化刺激をもつ汚染物質を屋外に排気する。ここで、排気用送風機は室外機に設置しても良い。このように、室内の空気を屋外に排出することで窒素酸化物等の汚染物質は屋外に排出されるが、汚染物質が完全に排出されるまでには時間がかかるため、それまでの間、人は汚染物質の酸化刺激を受けることになる。このため、リモコンのスイッチを動作させて前述した、抗酸化物質を室内に放出することにより、汚染物質と同時に抗酸化物質を吸収することにより、人体が汚染物質から受ける酸化刺激を抑制することができる。又リモコンのスイッチは、抗酸化物質を室内に放出することと酸素濃度を高めた空気を室内に供給することを同時に行うスイッチに切りかえる様にすると、細胞の活性を高めると同時に、抗酸化物質も室内に供給することで、皮膚または肺から抗酸化物質を体内に摂取し、体内で発生する活性酸素が細胞へ与える悪影響を抑制することが出来る。排気用送風機２０４の運転を室内機の空気清浄とは別個に、即ち空調機の冷凍サイクルや室内ファンを停止した状態で単独にて行っても良い。その場合、エアコンは冷房や暖房などの運転をしないで停止していても排気用送風機２０４を回転させて排気が行えるだけでなく、新鮮な空気を室内に供給し、且つ、同時に抗酸化物質を室内に放出したり、酸素濃度を高めた空気を室内に供給することも出来る。即ち空気調和における温度の調整に無関係な空気質改善が行える。
【００５５】
またこの発明は、空気調和と同時に喫煙等で汚れた室内の空気を屋外に排出することで、汚染物質を除去しつつ、抗酸化物質を室内に放出することで、汚染物質による肌や肺の細胞への酸化の影響を抑制することで、空気の汚れによる体への悪影響を抑制することである。又この発明は濃度の高い酸素を呼吸することにより、体の細胞は活性化されるが、同時に、細胞での活性酸素の発生量も増加させ健康を保つことが出来る。揮発性が高く、空気中に容易に拡散する抗酸化物質を含む植物抽出液の揮発成分を空気調和機から空気中に放出することで、呼吸による肺細胞への接触および血中への溶解、または、皮膚表面へ接触により、細胞に対して抗酸化作用をおよぼして細胞膜の脂質が酸化されえることによる悪影響を抑制することで、酸素濃度の高い空気を呼吸すること悪影響を抑制する。
【００５６】
また、喫煙や多くの人の存在・往来、車の排気ガスの影響などによって発生する窒素酸化物等で汚れた室内や車内の空気を屋外や社外に排出しつつ、前記抗酸化物質を放出することにより、汚染物質による肌や肺の細胞が酸化されることを抑制することで、空気の汚れによる体への悪影響を抑制することである。これらにより、住宅内環境、病院や公的設備などの屋内環境、自動車・電車などの車内環境、ペットや動物飼育場所における室内環境などにおける空気質を改善でき、ストレスを抑えたり、健康の保持、病気や寿命の改善などを簡単な構造でエネルギーを使わずに達成させることが出来る。
【図面の簡単な説明】
【００５７】
【図１】この発明の実施例１における空気調和機のシステム説明図である。
【図２】この発明の実施例１における室内機の外観図および一部断面説明図である。
【図３】この発明の実施例１における室内機の外観図である。
【図４】この発明の実施例１における植物抽出剤を封止した透過膜を説明する図である。
【図５】この発明の実施例１における抗酸化物を含む植物抽出剤を収納するケース構造説明図である。
【図６】この発明の実施例１における抗酸化物放出用のケースとケースホルダー取りつけ構造説明図である。
【図７】この発明の実施例１におけるケースホルダー構造説明図である。
【図８】この発明の実施例１におけるケースホルダー構造説明図である。
【図９】この発明の実施例１における室内機の前面パネル開放構造説明図である。
【図１０】この発明の実施例１における室内機と室外機の配置構造説明図である。
【図１１】この発明の実施例１における酸素富化機構の配置構成説明図である。
【図１２】この発明の実施例１における酸素富化機構の構成説明図である。
【図１３】この発明の実施例１における酸素富化機構の動作説明図である。
【図１４】この発明の実施例１における室内機の構成説明図である。
【図１５】この発明の実施例１における換気排気ファン構造説明図である。
【図１６】この発明の実施例１における室内機の前面パネル開放構造説明図である。
【符号の説明】
【００５８】
１  圧縮機、  ２  吐出配管、  ３  吸入配管、  ４  アキュムレータ、  ５  四方弁、  ６  室内側熱交換器、  ７  減圧装置（電子制御式膨張弁）、  ８  空気調和機の室内機、  ９  室内ファン、  １０  室内ファンモーター、  １１  室外ファン、  １２  室外ファンモーター、  １３  ガス側延長配管、  １４  液側延長配管、  １５  室内制御装置、  １６  室外制御装置、  １７  圧縮機温度サーミスタ、  １８  室内機配管温度センサー、  １９  室温検出サーミスタ、  ２０  室外機配管温度サーミスタ、  ２１  室内空気汚れ検知センサー、  ２２  リモコン、  ２８  空気清浄装置、  ３１  室内機、  ３２  開口部、  ３３  吹出し口、  ３４  前面パネル、  ３５  風の流れ、  ３６  植物抽出剤（抗酸化作用を持つ1,8-シネオールを含む植物抽出液）  ３７  透過膜、  ３８  ケース、  ３９  孔、  ４０  ケースホルダー、  ４２  残量確認窓、  ４３  面状ヒーター、  ４４  酸素富化ユニット、  ４５  酸素富化膜支持構造体、  ５１  フィルター、  ５３  ドレンパン、  ５４  空調機本体（室内機本体）、  ５５  室外機、  ５６  冷凍サイクル配管、  ５７  フィルター枠、  １０１  酸素富化膜、  １０２  真空ポンプ、  １０３  酸素富化空気用ダクト、  １０４  空気用ダクトの接続ジョイント、  １０５  酸素富化空気の吹出口、  １０６  ダクト内乾燥用外気導入弁、  ２０１  換気排気装置、  ２０２  換気排気用ダクト、  ２０４  換気排気ファン、  ２０５  換気排気モーター、  ２０６  換気排気ケーシング、  ２０７  換気排気モーターケース、  ２０８  換気排気給排気口。
【図１】
2005140457.tif 000003
【図２】
2005140457.tif 000004
【図３】
2005140457.tif 000005
【図４】
2005140457.tif 000006
【図５】
2005140457.tif 000007
【図６】
2005140457.tif 000008
【図７】
2005140457.tif 000009
【図８】
2005140457.tif 000010
【図９】
2005140457.tif 000011
【図１０】
2005140457.tif 000012
【図１１】
2005140457.tif 000013
【図１２】
2005140457.tif 000014
【図１３】
2005140457.tif 000015
【図１４】
2005140457.tif 000016
【図１５】
2005140457.tif 000017
【図１６】
2005140457.tif 000018